(57)【要約】【課題】識別子の認証登録処理をバーコードシンボルを用いて行うことにより、正確に認証登録処理が実施される無線ＬＡＮシステムを提供する。【解決手段】識別子が付与され識別子を示すバーコードシンボルを出力する無線ＬＡＮ端末１２０と、無線ＬＡＮ端末１２０との間でネットワークを構成するアクセスポイント２１０と、無線ＬＡＮ端末１２０が出力したバーコードシンボルを読み取りその内容を出力する読み取り手段１１６と、読み取り手段１１６より認証登録処理の開始の指示を受け付けると、その後送られてくる識別子をアクセスポイント２１０へ認証登録処理する出力手段１１０とを具備する無線ＬＡＮシステムである。【選択図】図１
2007215120.tif 000002
【特許請求の範囲】
【請求項１】
識別子が付与された無線ＬＡＮ端末と、自身に前記識別子が登録されている前記無線ＬＡＮ端末との間でネットワークを構成するアクセスポイントとを有する無線ＬＡＮシステムにおいて、
無線ＬＡＮ通信の認証登録処理を要求する旨の入力を受け付けた場合には、前記認証登録処理の開始を指示する内容のバーコードシンボルと、前記識別子を示すバーコードシンボルとを順次出力する無線ＬＡＮ端末と、
前記無線ＬＡＮ端末が出力した各バーコードシンボルを読み取りその内容を出力する読み取り手段と、
前記読み取り手段より前記認証登録処理の開始の指示を受け付けると、その後送られてくる前記識別子を前記アクセスポイントへ認証登録処理する出力手段と、を具備することを特徴とする無線ＬＡＮシステム。
【請求項２】
第１および第２の識別子が付与された無線ＬＡＮ端末と、自身に前記第１および第２の識別子が登録されている前記無線ＬＡＮ端末との間でネットワークを構成するアクセスポイントとを具備する無線ＬＡＮシステムにおいて、
無線ＬＡＮ通信の認証登録処理を要求する旨の入力を受け付けた場合には、前記認証登録処理の開始を指示する内容のバーコードシンボルと、前記第１の識別子を示すバーコードシンボルとを順次出力する無線ＬＡＮ端末と、
前記無線ＬＡＮ端末が出力した各バーコードシンボルを読み取りその内容を出力する第１の読み取り手段と、
前記第２の識別子を格納する認証登録テーブルを具備し、前記第１の読み取り手段より前記認証登録処理の開始の指示を受け付けると、その後前記第１の読み取り手段より送られてくる前記第１の識別子について、前記認証登録テーブルに格納された第２の識別子に対応付けて前記アクセスポイントへ認証登録処理するとともに、前記第１の識別子に対応付けて前記第２の識別子を前記無線ＬＡＮ端末に付与登録処理する開始を指示する内容のバーコードシンボルと、前記第２の識別子を示すバーコードシンボルとを順次出力する出力手段と、
前記出力手段が出力した各バーコードシンボルを読み取りその内容を前記無線ＬＡＮ端末に出力する第２の読み取り手段と、を具備し、
前記無線ＬＡＮ端末は、
前記第２の読み取り手段より前記付与登録処理の開始の指示を受け付けると、その後送られてくる前記第２の識別子を自身に付与登録処理することを特徴とする無線ＬＡＮシステム。
【請求項３】
請求項１または２に記載の無線ＬＡＮシステムにおいて、
前記識別子および前記第１の識別子は、ＭＡＣアドレスである無線ＬＡＮシステム。
【請求項４】
請求項２に記載の無線ＬＡＮシステムにおいて、
前記第２の識別子は、ＩＰアドレスである無線ＬＡＮシステム。
【請求項５】
請求項２に記載の無線ＬＡＮシステムにおいて、
前記第２の識別子は、ＳＳＩＤ（Service Set Identifier）である無線ＬＡＮシステム。
【請求項６】
請求項２に記載の無線ＬＡＮシステムにおいて、
前記第２の識別子は、ＷＥＰ（Wired Equivalent Privacy）である無線ＬＡＮシステム。
【請求項７】
識別子が付与されバーコードシンボルを出力する無線ＬＡＮ端末と、自身に前記識別子が登録されている前記無線ＬＡＮ端末との間でネットワークを構成するアクセスポイントと、前記無線ＬＡＮ端末が出力した前記バーコードシンボルを読み取りその内容を出力する読み取り手段と、前記読み取り手段により出力された前記バーコードシンボルの内容を受け付け前記アクセスポイントへ出力する出力手段と、を具備する無線ＬＡＮシステムの登録処理方法において、
前記無線ＬＡＮ端末で行われる、無線ＬＡＮ通信の認証登録処理を要求する旨の入力を受け付けた場合には、前記認証登録処理の開始を指示する内容のバーコードシンボルと、前記識別子を示すバーコードシンボルとを順次出力する第１のステップと、
前記読み取り手段で行われる、前記第１のステップより出力された各バーコードシンボルを読み取りその内容を出力する第２のステップと、
前記出力手段で行われる、前記第２のステップより認証登録処理の開始の指示を受け付けると、その後送られてくる前記識別子を前記アクセスポイントへ認証登録処理するステップと、を具備することを特徴とする無線ＬＡＮシステムの登録処理方法。
【請求項８】
第１および第２の識別子が付与され前記第１の該識別子をバーコードシンボルとして出力する無線ＬＡＮ端末と、自身に前記第１および第２の識別子が登録されている前記無線ＬＡＮ端末との間でネットワークを構成するアクセスポイントと、前記無線ＬＡＮ端末が出力した各バーコードシンボルを読み取りその内容を出力する第１の読み取り手段と、前記第２の識別子が格納された認証登録テーブルを具備し、前記第２の識別子を前記アクセスポイントへ認証登録処理する出力手段と、前記出力手段が出力した各バーコードシンボルを読み取りその内容を前記無線ＬＡＮ端末に出力する第２の読み取り手段と、を具備する無線ＬＡＮシステムの登録処理方法において、
前記無線ＬＡＮ端末で行われる、無線ＬＡＮ通信の認証登録処理を要求する旨の入力を受け付けた場合には、前記認証登録処理の開始を指示する内容のバーコードシンボルと、前記第１の識別子を示すバーコードシンボルとを順次出力する第１のステップと、
前記第１の読み取り手段で行われる、前記第１のステップにより出力された各バーコードシンボルを読み取りその内容を出力する第２のステップと、
前記出力手段で行われる、前記第２のステップより前記認証登録処理の開始の指示を受け付けると、その後前記第２のステップより送られてくる前記第１の識別子について、前記認証登録テーブルに格納された第２の識別子に対応付けて前記アクセスポイントへ認証登録処理するとともに、前記第１の識別子に対応付けて前記第２の識別子を前記無線ＬＡＮ端末に付与登録処理する開始を指示する内容のバーコードシンボルと、前記第２の識別子を示すバーコードシンボルとを順次出力する第３のステップと、
前記第２の読み取り手段で行われる、前記第３のステップで出力された各バーコードシンボルを読み取りその内容を前記無線ＬＡＮ端末に出力する第４のステップと、
前記無線ＬＡＮ端末で行われる、前記第４のステップより前記付与登録処理の開始の指示を受け付けると、その後送られてくる前記第２の識別子を前記無線ＬＡＮ端末に付与登録処理するステップとを具備することを特徴とする無線ＬＡＮシステムの登録処理方法。
【発明の詳細な説明】
【技術分野】
【０００１】
本発明は、無線ＬＡＮシステムに係り、特にバーコードを用いた登録処理に関する。
【背景技術】
【０００２】
インターネットなどのネットワークの急速な普及に伴い、新しい技術を用いた様々なネットワークが実現されている。
【０００３】
ネットワークの代表的な例として、一般電話回線および専用回線を用いたＡＤＳＬ（Asymmetric Digital Subscriber Line：非対称デジタル加入者線）ネットワーク、光ファイバを使用したＦＴＴＨ（Fiber To The Home）、無線通信を用いた無線ＬＡＮシステムなど多様な形態を目にすることができる。
【０００４】
多様なネットワークの中で、無線ＬＡＮによるシステムは、有線による配線を必要とせず比較的容易に設置することができ、設置に掛かる費用が比較的低コストであるため、無線ＬＡＮシステムの構築は近年増加の傾向をたどっている。
【０００５】
無線ＬＡＮによるシステムの一例として、ファミリーレストランなどの店舗内で用いられるＰＯＳ（Point of sales system：販売時点管理システム）により構築されたＯＥＳ（Order Entry System）を図７に示し、説明する。
【０００６】
従来の一般的なオーダーエントリシステムは、受付に設けられたレジスタの機能を有する有線ＬＡＮ端末であり認証登録処理を行うＰＯＳターミナル７１０がアクセスポイント８１０と接続され、ＰＯＳターミナル７１０はキッチンに設けられた有線接続プリンター７９０と接続され、有線接続プリンター７９０はスキャナー７９６に接続され、キッチンに設けられた無線接続プリンター７２０はスキャナー７２６に接続されている。
【０００７】
上記構成のオーダーエントリーシステムには、客からの注文内容がＰＯＳターミナル７１０に入力される。
【０００８】
ＰＯＳターミナル７１０は、客からの注文内容をアクセスポイント８１０を介して厨房にある無線接続プリンター７２０に送信する。
【０００９】
ＰＯＳターミナル７１０から送信された注文内容を受信した無線接続プリンター７２０は、注文内容に応じて通常の文字およびバーコードシンボルで表示した注文伝票を印刷する。厨房にいる調理人は印刷された注文伝票を読み、注文伝票に表示された客からの注文にしたがい調理を行い、調理調理終了後に注文伝票をスキャナー７２６で読み取らせる。
【００１０】
スキャナー７２６で読み取られた注文伝票の内容は、無線接続プリンター７２０からアクセスポイント８１０を介してＰＯＳターミナル７２０に送信されＰＯＳターミナル７１０で受信されることで、該当の注文伝票の調理が完了したことがＰＯＳターミナル７１０側で分かるようになっている。
【００１１】
上記のオーダーエントリシステムにおいて、アクセスポイント８１０と無線ＬＡＮ接続される無線接続プリンター７２０を設置する際には、最初にＰＯＳターミナル７１０によってアクセスポイント８１０に無線接続プリンター７２０の認証登録処理を行う必要がある。
【００１２】
従来の認証登録処理とは、無線接続プリンター７２０の有する固有の識別子であるＭＡＣ（Media Access Control：メディアアクセス管理）アドレスをＰＯＳターミナル７１０の有する認証登録テーブル７１１およびアクセスポイント８１０の有する登録記憶装置８１１に登録する処理である。
【００１３】
ＰＯＳターミナル７１０は、認証登録テーブル７１１に登録された無線接続プリンター７２０のＭＡＣアドレスを用いて、アクセスポイント８１０に対してＭＡＣアドレスの認証登録処理を行う。
【００１４】
認証登録処理によりアクセスポイント８１０は、ＭＡＣアドレスの認証登録処理が済んでいる無線接続プリンター７２０のアクセスポイント８１０への無線ＬＡＮ通信のアクセスを許可する。
【００１５】
認証登録処理がされていない無線接続プリンター７２０のアクセスポイント８１０へのアクセスに対しては、アクセスポイント８１０はアクセスを拒否するフィルタリング設定がなされている。
【００１６】
フィルタリング設定によって無線ＬＡＮシステムは、無線接続プリンター７２０とアクセスポイント８１０との間の無線ＬＡＮ通信のアクセスにおける許可または拒否の処理を行うことで、セキュリティの高い通信システムを構築することができる。
【００１７】
無線ＬＡＮ通信の認証を行うシステムとして、特許文献１（特開２００１−１１１５４４号公報）により開示されているシステムがある。該公報のシステムを図７に示した無線ＬＡＮシステムに当てはめると、無線ＬＡＮ接続される端末局としての無線接続プリンター７２０と、受信した認証に関わる信号を適合するプロトコルに変換するアクセスポイント８１０とを備えた構成となっている。
【００１８】
無線ＬＡＮシステムは、無線接続プリンター７２０がアクセスポイント８１０に接続しようと要求する際は、無線接続プリンター７２０のアクセスポイント８１０に送信する信号を認証許可に適合するプロトコルに変換して認証要求する。アクセスポイント８１０は、適合するプロトコルに変換された認証要求を受けて無線接続プリンター７２０のＭＡＣアドレスを読み取り、無線ＬＡＮ接続の認証を行う。
【特許文献１】特開２００１−１１１５４４号公報
【発明の開示】
【発明が解決しようとする課題】
【００１９】
無線接続プリンター７２０の認証登録テーブル７１１および登録記憶装置８１１への認証登録処理は、各無線接続プリンター７２０のＭＡＣアドレスを人手によって認証登録テーブル７１１および登録記憶装置８１１へ入力することで行っている。
【００２０】
特許文献１の無線ＬＡＮシステムにおいては、認証を行う際のプロトコルがあらかじめアクセスポイント８１０に組み込まれていないと、各無線接続プリンター７２０からアクセスポイント８１０への接続要求があっても、アクセスポイント８１０は各無線接続プリンター７２０からの接続要求に応えられないという問題があった。
【００２１】
説明したような人手によって行う認証登録処理は、人手による誤った入力により登録記憶装置８１１などへのネットワークの誤設定が生じるという問題があったり、アクセスポイント８１０に接続される無線接続プリンター７２０の台数が増えることにより、無線接続プリンター７２０の台数に比例して認証登録処理を行うための作業工数が増加するという問題があった。
【００２２】
そこで本発明の目的は、識別子の認証登録処理をバーコードシンボルを用いて行うことにより、正確に認証登録処理が実施される無線ＬＡＮシステムを提供することである。
【課題を解決するための手段】
【００２３】
上記目的を達成するために、本発明の無線ＬＡＮシステムの第１の発明は、識別子が付与された無線ＬＡＮ端末と、自身に前記識別子が登録されている前記無線ＬＡＮ端末との間でネットワークを構成するアクセスポイントとを有する無線ＬＡＮシステムにおいて、
無線ＬＡＮ通信の認証登録処理を要求する旨の入力を受け付けた場合には、前記認証登録処理の開始を指示する内容のバーコードシンボルと、前記識別子を示すバーコードシンボルとを順次出力する無線ＬＡＮ端末と、
前記無線ＬＡＮ端末が出力した各バーコードシンボルを読み取りその内容を出力する読み取り手段と、
前記読み取り手段より前記認証登録処理の開始の指示を受け付けると、その後送られてくる前記識別子を前記アクセスポイントへ認証登録処理する出力手段と、を具備する無線ＬＡＮシステムである。
【００２４】
本無線ＬＡＮシステムは、無線ＬＡＮ端末自身が、アクセスポイントに認証登録処理を行うために、認証登録処理の開始を指示するバーコードシンボルと、自身に付与された識別子とをバーコードデータに変換したバーコードシンボルを無線ＬＡＮ端末から出力し、このバーコードシンボルにより、認証登録処理が開始される。
【００２５】
無線ＬＡＮ端末から出力されたバーコードシンボルは、出力手段に接続された読み取り手段で解読され出力手段に出力される。
【００２６】
出力手段は認証登録処理の開始の指示にしたがい、識別子をアクセスポイントに認証登録処理する。
【００２７】
このように、本無線ＬＡＮシステムは、識別子を手入力することなく識別子の認証登録処理が行われる。
【００２８】
第２の発明は、第１および第２の識別子が付与された無線ＬＡＮ端末と、自身に前記第１および第２の識別子が登録されている前記無線ＬＡＮ端末との間でネットワークを構成するアクセスポイントとを具備する無線ＬＡＮシステムにおいて、
無線ＬＡＮ通信の認証登録処理を要求する旨の入力を受け付けた場合には、前記認証登録処理の開始を指示する内容のバーコードシンボルと、前記第１の識別子を示すバーコードシンボルとを順次出力する無線ＬＡＮ端末と、
前記無線ＬＡＮ端末が出力した各バーコードシンボルを読み取りその内容を出力する第１の読み取り手段と、
前記第２の識別子を格納する認証登録テーブルを具備し、前記第１の読み取り手段より前記認証登録処理の開始の指示を受け付けると、その後前記第１の読み取り手段より送られてくる前記第１の識別子について、前記認証登録テーブルに格納された第２の識別子に対応付けて前記アクセスポイントへ認証登録処理するとともに、前記第１の識別子に対応付けて前記第２の識別子を前記無線ＬＡＮ端末に付与登録処理する開始を指示する内容のバーコードシンボルと、前記第２の識別子を示すバーコードシンボルとを順次出力する出力手段と、
前記出力手段が出力した各バーコードシンボルを読み取りその内容を前記無線ＬＡＮ端末に出力する第２の読み取り手段と、を具備し、
前記無線ＬＡＮ端末は、
前記第２の読み取り手段より前記付与登録処理の開始の指示を受け付けると、その後送られてくる前記第２の識別子を自身に付与登録処理する無線ＬＡＮシステムである。
【００２９】
第３の発明は、第１または第２の発明に記載の無線ＬＡＮシステムにおいて、
前記識別子および前記第１の識別子は、ＭＡＣアドレスであるものである。
【００３０】
第４の発明は、第２の発明に記載の無線ＬＡＮシステムにおいて、
前記第２の識別子は、ＩＰアドレスであるものである。
【００３１】
第５の発明は、第２の発明に記載の無線ＬＡＮシステムにおいて、
前記第２の識別子は、ＳＳＩＤ（Service Set Identifier）であるものである。
【００３２】
第６の発明は、第２の発明に記載の無線ＬＡＮシステムにおいて、
前記第２の識別子は、ＷＥＰ（Wired Equivalent Privacy）であるものである。
【００３３】
第７の発明は、識別子が付与されバーコードシンボルを出力する無線ＬＡＮ端末と、自身に前記識別子が登録されている前記無線ＬＡＮ端末との間でネットワークを構成するアクセスポイントと、前記無線ＬＡＮ端末が出力した前記バーコードシンボルを読み取りその内容を出力する読み取り手段と、前記読み取り手段により出力された前記バーコードシンボルの内容を受け付け前記アクセスポイントへ出力する出力手段と、を具備する無線ＬＡＮシステムの登録処理方法において、
前記無線ＬＡＮ端末で行われる、無線ＬＡＮ通信の認証登録処理を要求する旨の入力を受け付けた場合には、前記認証登録処理の開始を指示する内容のバーコードシンボルと、前記識別子を示すバーコードシンボルとを順次出力する第１のステップと、
前記読み取り手段で行われる、前記第１のステップより出力された各バーコードシンボルを読み取りその内容を出力する第２のステップと、
前記出力手段で行われる、前記第２のステップより認証登録処理の開始の指示を受け付けると、その後送られてくる前記識別子を前記アクセスポイントへ認証登録処理するステップと、を具備する無線ＬＡＮシステムの登録処理方法である。
【００３４】
第８の発明は、第１および第２の識別子が付与され前記第１の該識別子をバーコードシンボルとして出力する無線ＬＡＮ端末と、自身に前記第１および第２の識別子が登録されている前記無線ＬＡＮ端末との間でネットワークを構成するアクセスポイントと、前記無線ＬＡＮ端末が出力した各バーコードシンボルを読み取りその内容を出力する第１の読み取り手段と、前記第２の識別子が格納された認証登録テーブルを具備し、前記第２の識別子を前記アクセスポイントへ認証登録処理する出力手段と、前記出力手段が出力した各バーコードシンボルを読み取りその内容を前記無線ＬＡＮ端末に出力する第２の読み取り手段と、を具備する無線ＬＡＮシステムの登録処理方法において、
前記無線ＬＡＮ端末で行われる、無線ＬＡＮ通信の認証登録処理を要求する旨の入力を受け付けた場合には、前記認証登録処理の開始を指示する内容のバーコードシンボルと、前記第１の識別子を示すバーコードシンボルとを順次出力する第１のステップと、
前記第１の読み取り手段で行われる、前記第１のステップにより出力された各バーコードシンボルを読み取りその内容を出力する第２のステップと、
前記出力手段で行われる、前記第２のステップより前記認証登録処理の開始の指示を受け付けると、その後前記第２のステップより送られてくる前記第１の識別子について、前記認証登録テーブルに格納された第２の識別子に対応付けて前記アクセスポイントへ認証登録処理するとともに、前記第１の識別子に対応付けて前記第２の識別子を前記無線ＬＡＮ端末に付与登録処理する開始を指示する内容のバーコードシンボルと、前記第２の識別子を示すバーコードシンボルとを順次出力する第３のステップと、
前記第２の読み取り手段で行われる、前記第３のステップで出力された各バーコードシンボルを読み取りその内容を前記無線ＬＡＮ端末に出力する第４のステップと、
前記無線ＬＡＮ端末で行われる、前記第４のステップより前記付与登録処理の開始の指示を受け付けると、その後送られてくる前記第２の識別子を前記無線ＬＡＮ端末に付与登録処理するステップとを具備する無線ＬＡＮシステムの登録処理方法である。
【００３５】
第２および第８の発明は、無線ＬＡＮ端末自身が、アクセスポイントに認証登録処理を行うために、認証登録処理の開始を指示するバーコードシンボルと、自身に付与された第１の識別子とをバーコードデータに変換したバーコードシンボルを無線ＬＡＮ端末から出力し、このバーコードシンボルにより、認証登録処理が開始される。
【００３６】
無線ＬＡＮ端末から出力されたバーコードシンボルは、出力手段に接続された第１の読み取り手段で解読され出力手段に出力される。
【００３７】
出力手段は認証登録処理の開始の指示にしたがい、第１および第２の識別子をアクセスポイントに認証登録処理する。
【００３８】
ここで第２の識別子は、あらかじめ認証登録テーブルに格納されており、出力手段は認証登録テーブルに格納された第２の識別子をアクセスポイントに出力して、第２の識別子のアクセスポイントへの認証登録処理が実施される。
【００３９】
本無線ＬＡＮシステムは、無線ＬＡＮ端末に第２の識別子を付与するに際して、出力手段自身が、付与登録処理の開始を指示するバーコードシンボルと、無線ＬＡＮ端末に付与する第２の識別子をバーコードデータに変換したバーコードシンボルとを出力手段から出力し、このバーコードシンボルにより、付与登録処理が開始される。
【００４０】
出力手段から出力されたバーコードシンボルは、無線ＬＡＮ端末に接続された第２の読み取り手段で解読されると、無線ＬＡＮ端末に出力される。
【００４１】
無線ＬＡＮ端末は付与登録処理の開始の指示にしたがい、第２の識別子を無線ＬＡＮ端末に付与登録処理する。
【００４２】
このように、本無線ＬＡＮシステムは、識別子を手入力することなく識別子の付与登録処理および認証登録処理が行われる。
【発明の効果】
【００４３】
本発明によれば、識別子の認証登録処理をバーコードシンボルを用いて行うことにより、正確に認証登録処理が実施される無線ＬＡＮシステムを得られる。
【発明を実施するための最良の形態】
【００４４】
本発明を実施するための形態について図面を参照して詳細に説明する。
【００４５】
図１は、本実施形態の無線ＬＡＮシステムの認証登録処理を実施するための構成例を示すブロック図である。
【００４６】
ＯＥＳを構成する本実施形態の無線ＬＡＮシステムは、識別子が付与され、無線ＬＡＮ通信の認証登録処理を要求する旨の入力を受け付けた場合にはバーコードシンボル３１０を出力する無線ＬＡＮ端末としての無線接続プリンター１２０と、識別子が認証登録情報として格納される登録記憶装置２１１を具備し登録記憶装置２１１に識別子が登録されている無線接続プリンター１２０との間でネットワークを構成するアクセスポイント２１０と、無線接続プリンター１２０が出力したバーコードシンボル３１０を読み取りその内容を出力する読み取り手段としてのスキャナー１１６と、ＭＡＣアドレスなどの識別子を格納する認証登録テーブル１１１を有し、認証登録処理の開始の指示を受け付けると、その後送られてくるバーコードシンボル３１０に含まれる識別子をアクセスポイント２１０へ認証登録処理する出力手段としてのＰＯＳターミナル１１０と、を備えて構成される。
【００４７】
アクセスポイント２１０はＰＯＳターミナル１１０に有線接続されており、ＰＯＳターミナル１１０はスキャナー１１６に有線接続されており、無線接続プリンター１２０はアクセスポイント２１０に無線ＬＡＮ接続される。
【００４８】
本無線ＬＡＮシステムは、定められた一般的なプロトコルにより、無線接続プリンター１２０とアクセスポイント２１０との間で無線ＬＡＮ通信を行うシステムである。
【００４９】
無線ＬＡＮ通信を行うために本無線ＬＡＮシステムは、バーコードシンボル３１０をスキャナー１１６を用いて読み取り、バーコードシンボル３１０に含まれるＭＡＣアドレスをアクセスポイント２１０に入力することでネットワーク設定を行う機能を有する。
【００５０】
無線接続プリンター１２０は、アクセスポイント２１０への無線ＬＡＮ通信の認証登録処理を要求する入力を受け付けた場合には、認証登録処理の開始を指示するバーコードシンボルと、識別子であるＭＡＣアドレスをバーコードデータに変換したバーコードシンボルと、認証登録処理の終了を指示するバーコードシンボルとを順次出力する機能を有した印刷機器である。
【００５１】
無線接続プリンター１２０は、アクセスポイント２１０と無線ＬＡＮ接続される例えばキッチンプリンターであり、定められたプロトコルにより通信を行うための無線ＬＡＮインターフェースを有しており、無線ＬＡＮインターフェースの一般的な例として無線ＬＡＮカード１２１が用いられるとよい。
【００５２】
無線ＬＡＮカード１２１には、カードごとに自身を識別する固有のＭＡＣアドレスを識別子として付与されている。
【００５３】
以降は、この無線ＬＡＮインターフェース（例えば、無線ＬＡＮカード１２１）に付与された識別子（例えば、ＭＡＣアドレス）が無線ＬＡＮ端末（例えば、無線接続プリンター１２０）に付与された識別子を意味するものとする。
【００５４】
ＭＡＣアドレスは、無線接続プリンター１２０がアクセスポイント２１０に無線ＬＡＮ通信のアクセスを行う際に、アクセスポイント２１０に示すことにより、アクセスポイント２１０から無線接続プリンター１２０に対してアクセスの許可／拒否を行うための認証登録情報に用いることができる。
【００５５】
スキャナー１１６は、無線接続プリンター１２０で印刷されたバーコードシンボル３１０を読み取り解読することのできるバーコードスキャナーの機能を有しており、バーコードシンボル３１０に表示された複数のバーコードシンボルを読み取り解読してバーコードデータに変換される前の元のデータに戻すことができる。
【００５６】
スキャナー１１６で解読され得られたデコードデータは、ＰＯＳターミナル１１０およびアクセスポイント２１０に認証登録処理の開始を指示する登録開始命令と、ＭＡＣアドレスと、ＰＯＳターミナル１１０およびアクセスポイント２１０に認証登録処理の終了を指示する登録終了命令とからなっている。
【００５７】
認証登録テーブル１１１は、スキャナー１１６から有線接続を介して送信された複数のＭＡＣアドレスのデータをＰＯＳターミナル１１０で受信すると、複数のＭＡＣアドレスのデータを認証登録情報として格納する機能を有している。
【００５８】
ＰＯＳターミナル１１０は、スキャナー１１６から出力された登録開始命令にしたがい、スキャナー１１６からのＭＡＣアドレスを登録記憶装置２１１に出力し、有線による遠隔操作によって認証登録情報として登録記憶装置２１１に認証登録処理し、出力された識別子が認証登録処理された後に登録終了命令にしたがい認証登録処理を終了することができる。
【００５９】
ＰＯＳターミナル１１０は、ＭＡＣアドレスを登録記憶装置２１１に格納させることにより、ＭＡＣアドレスをアクセスポイント２１０に認証登録情報として認証登録処理することのできるネットワーク設定端末である。
【００６０】
ＰＯＳターミナル１１０によるネットワーク設定は、アクセスポイント２１０へのＭＡＣアドレスによるフィルタリング設定であり、フィルタリング設定により認証登録情報としてＭＡＣアドレスが登録記憶装置２１１に格納されている無線ＬＡＮカード１２１のみのアクセスポイント２１０へのアクセスが許可されるフィルタリング機能を有することになる。
【００６１】
アクセスポイント２１０は、無線接続プリンター１２０が無線ＬＡＮカード１２１を介してアクセスしようとしたときに、無線ＬＡＮカード１２１から送信されたＭＡＣアドレスを受信して、登録記憶装置２１１に格納された認証登録情報と照合する。
【００６２】
アクセスポイント２１０は、登録記憶装置２１１に格納された認証登録情報のなかに受信した無線ＬＡＮカード１２１のＭＡＣアドレスが格納されていないときには、無線ＬＡＮカード１２１のアクセスポイント２１０へのアクセスが許可されていないと判断してアクセスを拒否する機能を有する。
【００６３】
バーコードシンボル３１０に印刷されているＭＡＣアドレスは、スキャナー１１６を介して登録記憶装置２１１および認証登録テーブル１１１に認証登録処理されることで、アクセスポイント２１０およびＰＯＳターミナル１１０にアクセスを認証された無線接続プリンター１２０であることを示す識別情報となっている。
【００６４】
次に、本実施形態の無線ＬＡＮシステムにおける認証登録処理について、図１および図２を用いて詳細に説明する。
【００６５】
図１において、無線接続プリンター１２０をアクセスポイント２１０に無線ＬＡＮ接続できるように設置する際には、まず無線接続プリンター１２０のアクセスポイント２１０への認証登録処理を次に示すように行う。
【００６６】
無線ＬＡＮシステムの設置者は、まず無線接続プリンター１２０を入力操作することによって、無線ＬＡＮカード１２１の固有のＭＡＣアドレスを含むバーコードシンボル３１０を印刷させる。
【００６７】
印刷されたバーコードシンボル３１０は、図２に示すような３つのバーコードシンボル３１１〜３１３から構成されている。
【００６８】
１番上のバーコードシンボル３１１は、ＭＡＣアドレスを認証登録テーブル１１１および登録記憶装置２１１に格納する認証登録処理の開始を指示する内容のバーコードシンボルである。
【００６９】
真ん中のバーコードシンボル３１２は、無線ＬＡＮカード１２１に付与されたＭＡＣアドレスを示すバーコードシンボルである。
【００７０】
１番下のバーコードシンボル３１３は、無線ＬＡＮカード１２１のＭＡＣアドレスが認証登録テーブル１１１および登録記憶装置２１１に格納された後、認証登録処理の終了を指示する内容のバーコードシンボルである。
【００７１】
無線接続プリンター１２０で印刷されたバーコードシンボル３１１〜３１３は、スキャナー１１６でバーコードスキャンされ順次読み取られる。
【００７２】
バーコードシンボル３１１がスキャナー１１６で読み取られることにより、スキャナー１１６はバーコードシンボル３１１を解読してデコードデータとしてＰＯＳターミナル１１０に出力する。
【００７３】
バーコードシンボル３１１に対応するデコードデータは、バーコードシンボル３１２の示す新たなＭＡＣアドレスを認証登録テーブル１１１および登録記憶装置２１１に認証登録処理する開始の指示する登録開始命令である。
【００７４】
次にスキャナー１１６は、バーコードシンボル３１２を読み取り、読み取ったバーコードシンボル３１２を解読しバーコードデータに変換される前の無線ＬＡＮカード１２１の元のＭＡＣアドレスに戻して、ＰＯＳターミナル１１０に出力する。
【００７５】
スキャナー１１６から出力されたＭＡＣアドレスは、ＰＯＳターミナル１１０に入力され、既にＰＯＳターミナル１１０に入力されている登録開始命令により、認証登録テーブル１１１に認証登録情報として格納される。
【００７６】
バーコードシンボル３１２に対応したＭＡＣアドレスを出力したスキャナー１１６は、バーコードシンボル３１３を読み取り、読み取ったバーコードシンボル３１３を解読して、デコードデータとしてＰＯＳターミナル１１０に出力する。
【００７７】
バーコードシンボル３１３に対応するデコードデータは、ＭＡＣアドレスの認証登録テーブル１１１への認証登録処理の終了を指示し、ＰＯＳターミナル１１０に接続されたアクセスポイント２１０に対して、遠隔操作によりＭＡＣアドレスを認証登録情報として格納することを指示する。
【００７８】
以上のように本無線ＬＡＮシステムは、スキャナー１１６により読み取られたバーコードシンボル３１０が解読され、バーコードシンボル３１２で示されたＭＡＣアドレスが認証登録テーブル１１１および登録記憶装置２１１に格納されることで認証登録処理が終了する。
【００７９】
本無線ＬＡＮシステムの使用者が、無線接続プリンター１２０とアクセスポイント２１０との無線ＬＡＮ通信を行う旨の入力を無線接続プリンター１２０に対して行うと、入力を受け付けた無線接続プリンター１２０は無線ＬＡＮカード１２１に無線ＬＡＮ通信を開始する旨の指示を出す。
【００８０】
無線ＬＡＮ通信を開始する旨の指示を受けた無線ＬＡＮカード１２１は、自身の識別子をアクセスポイント２１０に送信することにより、アクセスポイント２１０に無線ＬＡＮ通信のアクセスの要求を行う。
【００８１】
アクセスポイント２１０は、認証登録情報として登録記憶装置２１１に格納されているＭＡＣアドレスを発信する無線ＬＡＮカード１２１からのアクセスの要求があった場合には、無線ＬＡＮ通信のアクセスを許可してアクセスポイント２１０と無線ＬＡＮカード１２１との互いの無線ＬＡＮ接続を行った後、無線ＬＡＮ通信を行う。
【００８２】
以上のように本無線ＬＡＮシステムは、アクセスポイントに無線ＬＡＮ端末の認証登録処理を行うに際して、ネットワークのアクセスポイントに接続する無線ＬＡＮ端末が自身の識別子をバーコードシンボルとして出力し、バーコードシンボルを用いてアクセスポイントに認証登録処理を行う。
【００８３】
本実施形態の認証登録処理は、ネットワーク設定端末であるＰＯＳターミナル１１０がバーコードシンボルに記載された認証登録処理の登録開始命令にしたがって開始し、登録開始命令にしたがって識別子が認証登録処理され、バーコードシンボルに記載された認証登録処理の登録終了命令にしたがって終了する。
【００８４】
以上説明したように、本発明によれば次に示すような優れた効果を得られる。
（１）本無線ＬＡＮシステムは、無線ＬＡＮ端末にあらかじめ付与された識別子をバーコード印刷し、印刷されたバーコードシンボルをＰＯＳターミナルに接続されたスキャナーにて読み取って解読した結果を、ＰＯＳターミナルからアクセスポイントに認証登録処理することで、従来のような手動入力による識別子の誤登録をなくすことができる。
（２）本無線ＬＡＮシステムは、識別子を変換した後印刷されたバーコードシンボルをスキャナーで読み取って自動的にアクセスポイントへＭＡＣアドレスのフィルタリング設定を行うことができる。バーコードシンボルを用いたフィルタリング設定のため、無線ＬＡＮシステムは認証登録処理を行うための作業工数を低減することで無線ＬＡＮシステムの設置者の負担を軽減し、簡単で迅速かつ正確な認証登録処理を行うことができる。
【００８５】
次に、本発明の第１の実施例について説明する。
【実施例１】
【００８６】
一般的に無線ＬＡＮシステムにおいては、無線接続プリンターがアクセスポイントを介して接続されＰＯＳターミナルとの間で通信を行うためには、上記の実施形態で説明したアクセスポイントへのＭＡＣアドレスの認証登録処理によるフィルタリング設定以外にも、無線ＬＡＮ接続を行うための認証登録処理がアクセスポイントに必要になる。
【００８７】
ここで、認証登録処理に用いられる識別子を上記の実施形態の識別子と区別するため、実施形態の識別子であるＭＡＣアドレスを以降第１の識別子と称し、それ以外に本実施例で認証登録処理に用いられる識別子を第２の識別子と称する。
【００８８】
また、第１の識別子により認証登録処理された情報を第１の認証登録情報と称し、第２の識別子により認証登録処理された情報を第２の認証登録情報と称する。
【００８９】
第２の識別子が無線ＬＡＮ端末に付与される代表的な例としては、ＩＰ（Internet Protocol：インターネットプロトコル）アドレスの設定、ＳＳＩＤ（Service Set Identifier：サービスセット識別子）の設定、ＷＥＰ（Wired Equivalent Privacy：有線等価プライバシー）のキーの設定が上げられる。
【００９０】
ＩＰアドレスは、無線ＬＡＮシステムにおいて用いられる第２の識別子であり、ＩＰアドレスをアクセスポイントと無線接続プリンターとに設定することにより、ウェブサーバの機能を有するアクセスポイントとクライアントである無線接続プリンターとが同一セグメントのＩＰアドレスを有している場合に、無線接続プリンターとアクセスポイントとが無線ＬＡＮ接続され無線ＬＡＮ通信できるようになっている。
【００９１】
ＳＳＩＤは、無線ＬＡＮシステムにおいて用いられる第２の識別子であり、ＳＳＩＤをアクセスポイントと無線接続プリンターとに設定することにより、アクセスポイントと無線接続プリンターとが同じＳＳＩＤを有している場合に、無線接続プリンターとアクセスポイントとが無線ＬＡＮ接続され無線ＬＡＮ通信できるようになっている。
【００９２】
ＷＥＰは、暗号化、復号化の１方式であり、無線接続プリンターとアクセスポイントとが同じ暗号化キーであるＷＥＰキーを有している場合に、無線接続プリンターからＷＥＰキーにより暗号化されて送信されたデータがアクセスポイントで受信されＷＥＰキーにより復号化される。
【００９３】
アクセスポイントからＷＥＰキーにより暗号化されたデータが送信されたときには、アクセスポイントから送信されたデータは、無線接続プリンターで受信され無線接続プリンターが有しているＷＥＰキーにより復号化される。
【００９４】
図３は、本実施例の無線ＬＡＮシステムの認証登録処理および付与登録処理を実施するための構成例を示すブロック図である。
【００９５】
本実施例の無線ＬＡＮシステムは、図１に示す上記の実施形態の無線ＬＡＮのアクセスポイント２１０の代わりに無線ＬＡＮのアクセスポイント２１６が設けられ、登録記憶装置２１１の代わりに登録記憶装置２１７が設けられ、ＰＯＳターミナル１１０の代わりに出力手段としてのＰＯＳターミナル１１２が設けられ、無線接続プリンター１２０の代わりに無線接続プリンター１２２が設けられ、無線ＬＡＮカード１２１の代わりに無線ＬＡＮカード１２３が設けられ、認証登録テーブル１１１の代わりに認証登録テーブル１１３が、スキャナー１１６の代わりに第１の読み取り手段としてのスキャナー１１７が設けられ、さらに無線接続プリンター１２２に接続される第２の読み取り手段としてのスキャナー１２６が追加された構成となっている。
【００９６】
認証登録テーブル１１３は、認証登録テーブル１１１と同様の機能を有するほか、アクセスポイント２１６に認証登録処理を行うための第２の認証登録情報としてあらかじめ上記のＩＰアドレス、ＳＳＩＤおよびＷＥＰキーを格納する機能を有する。
【００９７】
ＰＯＳターミナル１１２は、スキャナー１１７より認証登録処理の開始の指示を受け付けると、その後スキャナー１１７より送られてくるＭＡＣアドレスについて、認証登録テーブル１１３に格納された第２の識別子に対応付けて登録記憶装置２１７へ認証登録処理する機能を有する。
【００９８】
ＰＯＳターミナル１１２は、認証登録テーブル１１３に格納されているＩＰアドレス、ＳＳＩＤおよびＷＥＰキーを遠隔操作により有線接続を介して登録記憶装置２１７に格納させることでアクセスポイント２１６への認証登録処理を行う機能を有する。
【００９９】
ＰＯＳターミナル１１２は、ＭＡＣアドレスに対応付けて、認証登録テーブル１１３に格納されたＩＰアドレス、ＳＳＩＤおよびＷＥＰキーなどの第２の識別子を無線接続プリンター１２２に付与登録処理する開始を指示する内容のバーコードシンボルと、第２の識別子を示すバーコードシンボルと、付与登録処理の終了を指示する内容のバーコードシンボルとを順次バーコード印刷して第２のバーコードシンボル３２０として出力する機能を有する。
【０１００】
ＰＯＳターミナル１１２により行われる無線接続プリンター１２２への付与登録処理は、ＩＰアドレス、ＳＳＩＤおよびＷＥＰキーなどの第２の識別子が無線接続プリンター１２２に設定されることによってなされる処理である。
【０１０１】
スキャナー１２６は、印刷された第２のバーコードシンボル３２０を読み取ることのできるバーコードスキャナーの機能を有しており、読み取った第２のバーコードシンボル３２０を解読して、バーコードシンボルに変換される前の元のＩＰアドレス、元のＳＳＩＤおよび元のＷＥＰキーのデータに戻し、無線接続プリンター１２２に出力する機能を有する。
【０１０２】
無線接続プリンター１２２は、無線接続プリンター１２０と同様の機能を有するほか、上記のＩＰアドレス、ＳＳＩＤおよびＷＥＰキーがさらに第２の識別子として付与される。
【０１０３】
次に、本実施例のアクセスポイント２１６への第１および第２の識別子の認証登録処理および無線ＬＡＮカード１２３への第２の識別子の付与登録処理について説明する。
【０１０４】
本実施例においては、図１で説明したことと同様に無線接続プリンター１２２で印刷されたＭＡＣアドレスを含んだ第１のバーコードシンボル３１５がスキャナー１１７で読み取られる。第１のバーコードシンボル３１５は、図２のバーコードシンボル３１０と同様の構成となっており、認証登録開始を指示する登録開始命令、ＭＡＣアドレス、認証登録終了を指示する登録終了命令を含んでいる。
【０１０５】
ＰＯＳターミナル１１２は、第１のバーコードシンボル３１５の内容にしたがい、第１のバーコードシンボル３１５に含まれるＭＡＣアドレスを認証登録テーブル１１３および登録記憶装置２１７に第１の認証登録情報として認証登録処理する。
【０１０６】
ＰＯＳターミナル１１２は、スキャナー１１７から登録開始命令を受けると、登録記憶装置２１７に認証登録処理するのと並行してもしくは認証登録処理後に、認証登録テーブル１１３に格納されたＩＰアドレス、ＳＳＩＤおよびＷＥＰキーをそれぞれ対応するバーコードデータに変換して、第２のバーコードシンボル３２０としてバーコード印刷する。
【０１０７】
ＰＯＳターミナル１１２により印刷された第２のバーコードシンボル３２０は、図４に示すように例えば５つのバーコードシンボル３２１〜３２５から構成されている。
【０１０８】
１番上のバーコードシンボル３２１は、バーコードシンボル３２２〜３２４の示す第２の識別子を無線ＬＡＮカード１２３に付与登録処理する開始の指示をする付与開始命令を示すバーコードシンボルである。
【０１０９】
２番目のバーコードシンボル３２２は、ＰＯＳターミナル１１２から無線接続プリンター１２２に設定されるＩＰアドレスを示すバーコードシンボルである。
【０１１０】
３番目のバーコードシンボル３２３は、ＰＯＳターミナル１１２からアクセスポイント２１６の登録記憶装置２１７に認証登録処理されたＳＳＩＤを示すバーコードシンボルである。
【０１１１】
４番目のバーコードシンボル３２４は、アクセスポイント２１６の登録記憶装置２１７に認証登録処理されたＷＥＰキーを示すバーコードシンボルである。
【０１１２】
１番下のバーコードシンボル３２５は、バーコードシンボル３２２〜３２４の示す第２の識別子が無線ＬＡＮカード１２３に付与登録処理された後、付与登録処理の終了を指示する付与終了命令を示すバーコードシンボルである。
【０１１３】
ＰＯＳターミナル１１２で印刷された第２のバーコードシンボル３２０は、スキャナー１２６でバーコードスキャンされ順次読み取られる。
【０１１４】
バーコードシンボル３２１がスキャナー１２６で読み取られることにより、スキャナー１２６はバーコードシンボル３２１を解読してデコードデータとして無線接続プリンター１２２に出力する。
【０１１５】
バーコードシンボル３２１に対応するデコードデータは、無線接続プリンター１２２に入力され、デコードデータにしたがい設定処理が開始される。
【０１１６】
次にスキャナー１２６は、バーコードシンボル３２２を読み取り、読み取ったバーコードシンボル３２２を解読して、バーコードデータに変換される前の元のＩＰアドレスに戻して、ＩＰアドレスは無線接続プリンター１２２に設定される。
【０１１７】
次にスキャナー１２６は、同様にバーコードシンボル３２３を読み取り、読み取ったバーコードシンボル３２３を解読して、バーコードデータに変換される前の元のＳＳＩＤに戻して、ＳＳＩＤは無線接続プリンター１２２に設定される。
【０１１８】
次にスキャナー１２６は、同様にバーコードシンボル３２４を読み取り、読み取ったバーコードシンボル３２４を解読して、バーコードデータに変換される前の元のＷＥＰキーに戻して、ＷＥＰキーは無線接続プリンター１２２に設定される。
【０１１９】
次にスキャナー１２６は、バーコードシンボル３２５を読み取り、読み取ったバーコードシンボル３２５を解読して、デコードデータとして無線接続プリンター１２２に出力する。
【０１２０】
バーコードシンボル３２５に対応するデコードデータが無線接続プリンター１２２に入力されると、第２の識別子の無線ＬＡＮカード１２３への付与登録処理は終了する。
【０１２１】
ＩＰアドレス、ＳＳＩＤ、ＷＥＰキーなどの第２の識別子は無線ＬＡＮシステムのセキュリティ確保、誤動作防止のため、設置された店舗ごとの無線ＬＡＮシステムによってユニークな設定値をもつ必要がある。
【０１２２】
従来は、無線ＬＡＮシステムの設置者が店舗設置時に、無線接続プリンターおよびアクセスポイントに対して手動により識別子を入力していた。
【０１２３】
本無線ＬＡＮシステムでは、無線接続プリンターから出力されたバーコードシンボルを用いて、認証登録テーブルおよび登録記憶装置に第１の識別子（ＭＡＣアドレス）の書き込みを行う認証登録処理が可能であり、認証登録テーブルに格納された第２の識別子を用いて、登録記憶装置に第２の識別子の書き込みを行う手入力によらない認証登録処理が可能である。
【０１２４】
以上のように、スキャナー１２６により読み取られた第２のバーコードシンボル３２０が解読されて、付与開始命令にしたがって、解読されたＩＰアドレスおよびＳＳＩＤならびにＷＥＰキーが無線接続プリンター１２２に書き込まれ、付与終了命令にしたがって、無線接続プリンター１２２への第２の識別子の付与登録処理（書き込み処理）が終了する。
【０１２５】
以上説明したように、本実施例の無線ＬＡＮシステムは、第１の識別子のアクセスポイントおよびＰＯＳターミナルへの認証登録処理を、無線接続プリンタからバーコード印刷された第１のバーコードシンボルを用いて行うことで、第１の識別子の誤入力による従来のようなネットワークの誤設定を防ぐことができ、上記実施形態と同様の効果を得られる。
【０１２６】
本実施例の無線ＬＡＮシステムは、第２の識別子の無線接続プリンターへの付与登録処理を、ＰＯＳターミナルからバーコード印刷された第２のバーコードシンボルを用いて行うことで、第２の識別子の誤入力による従来のようなネットワークの誤設定を防ぐことができる。
【０１２７】
本実施例の無線ＬＡＮシステムは、第２の識別子を変換した後印刷されたバーコードシンボルをスキャナーで読み取って自動的に無線ＬＡＮ端末へＩＰアドレス、ＳＳＩＤ、ＷＥＰキーなどの無線接続に必要な情報を設定することができる。
【０１２８】
バーコードシンボルを用いたフィルタリング設定のため、無線ＬＡＮシステムは認証登録処理を行うための作業工数を低減することで無線ＬＡＮシステムの設置者の負担を軽減し、簡単で迅速かつ正確な認証登録処理を行うことができる。
【０１２９】
このように、本実施例の無線ＬＡＮシステムは、第１および第２のバーコードシンボルを用いてアクセスポイントに認証登録処理を行い、第２のバーコードシンボルを用いて付与登録処理を無線接続プリンターに行うことで、従来に比べ認証登録処理および付与登録処理の作業工数を低減することができる。
【０１３０】
次に、本発明の第２の実施例について説明する。
【実施例２】
【０１３１】
図５は、本実施例の無線ＬＡＮシステムの認証登録処理および付与登録処理を実施するための構成例を示すブロック図である。
【０１３２】
本実施例の無線ＬＡＮシステムは、図３に示すスキャナー１１６がなく、図３に示す実施例１のＰＯＳターミナル１１２の代わりにＰＯＳターミナル１１４が、認証登録テーブル１１３の代わりに認証登録テーブル１１５がそれぞれ設けられ、さらにＰＯＳターミナル１１４に接続される有線接続プリンター１９０と、有線接続プリンター１９０に接続される第１の読み取り手段としてのスキャナー１９６とが追加された構成となっている。
【０１３３】
本実施例では、実施例１のＰＯＳターミナル１１２の出力手段としての機能をＰＯＳターミナル１１４および有線接続プリンター１９０が担う構成となっている。
【０１３４】
ＰＯＳターミナル１１４は、認証登録テーブル１１５に書き込まれているＩＰアドレス、ＳＳＩＤおよびＷＥＰキーのデータを、接続されている有線接続プリンター１９０に出力する機能を有する。
【０１３５】
認証登録テーブル１１５は、図３の認証登録テーブル１１３と同様の機能を有する。
【０１３６】
有線接続プリンター１９０は、ＰＯＳターミナル１９０と有線接続されていることでＰＯＳターミナル１９０と有線ＬＡＮ通信を行うことが可能な例えばキッチンプリンターである。
【０１３７】
有線接続プリンター１９０は、図３のＰＯＳターミナル１１２の代わりに、認証登録テーブル１１５から出力されたＩＰアドレス、ＳＳＩＤおよびＷＥＰキーのデータをバーコードデータに変換して、付与開始命令および付与終了命令を示すバーコードデータとともに第２のバーコードシンボル３２０としてバーコード印刷する機能を有する。
【０１３８】
スキャナー１９６は、無線接続プリンター１２２で印刷された第１のバーコードシンボル３１５を読み取ることのできるバーコードスキャナーの機能を有しており、読み取った第１のバーコードシンボル３１５を解読して、第１の識別子である元のＭＡＣアドレスのデータに戻して、有線接続プリンター１９０に出力する機能を有する。
【０１３９】
無線ＬＡＮシステムの設置者は、まず無線接続プリンター１２２を入力操作することによって、無線ＬＡＮカード１２１の固有のＭＡＣアドレスを含む第１のバーコードシンボル３１５を印刷させる。
【０１４０】
無線接続プリンター１２２で印刷された第１のバーコードシンボル３１５は、スキャナー１９６でバーコードスキャンされ解読され、解読され結果はデコードデータとして有線接続プリンタ１９０を介してＰＯＳターミナル１１４に出力される。
【０１４１】
ＰＯＳターミナル１１４に出力されたデコードデータに含まれるＭＡＣアドレスは、デコードデータに含まれる登録開始命令にしたがって、認証登録テーブル１１５および登録記憶装置２１７に第２の認証登録情報として認証登録処理される。
【０１４２】
ＰＯＳターミナル１１４は、ＭＡＣアドレスの認証登録処理の際、第１のバーコードシンボル３１５を印刷した無線接続プリンタ１２２に付与されることになっている第２の識別子を認証登録テーブル１１５から読み出す。
【０１４３】
読み出された第２の識別子であるＩＰアドレス、ＳＳＩＤおよびＷＥＰキーは、ＰＯＳターミナル１１４から無線接続プリンタ１２２の登録記憶装置２１７に第２の認証登録情報として格納されることで、アクセスポイント２１６への認証登録処理が行われる。
【０１４４】
さらに、認証登録テーブル１１５から読み出されたＩＰアドレス、ＳＳＩＤおよびＷＥＰキーは、ＰＯＳターミナル１１４から有線接続プリンタ１９０に出力され、有線接続プリンタ１９０でバーコードデータに変換され、第２のバーコードシンボル３２０が印刷される。
【０１４５】
有線接続プリンター１９０で印刷された第２のバーコードシンボル３２０は、第２の読み取り手段としてのスキャナー１２６で読み取られる。
【０１４６】
スキャナー１２６は、実施例１と同様に第２のバーコードシンボル３２０を読み取り解読してデコードデータとして出力する。
【０１４７】
スキャナー１２６から出力されたデコードデータであるＩＰアドレス、ＳＳＩＤおよびＷＥＰキーは、無線接続プリンター１２２への書き込みが行われることにより付与登録処理される。
【０１４８】
以上のようにして、認証登録テーブル１１５および登録記憶装置２１７への認証登録処理が終了し、無線接続プリンター１２２への付与登録処理が終了する。
【０１４９】
本無線ＬＡＮシステムは、バーコードシンボルを用いた認証登録処理および付与登録処理を行うことにより、既に説明した実施例１と同様の効果を得られる。
【０１５０】
次に、本発明の第３の実施例について説明する。
【実施例３】
【０１５１】
図６は、本実施例の無線ＬＡＮシステムの認証登録処理を実施するための構成例を示すブロック図である。
【０１５２】
本実施例の無線ＬＡＮシステムは、無線ＬＡＮ端末のアクセスポイントへの認証登録処理を行う機能を有する出力手段としてのパーソナルコンピュータ４１０と、パーソナルコンピュータ４１０に有線接続され無線ＬＡＮ通信を行うアクセスポイント５１０と、アクセスポイント５１０に無線ＬＡＮ接続されアクセスポイント５１０を介してパーソナルコンピュータ４１０との間で通信を行う無線ＬＡＮ端末としての携帯端末４２０と、パーソナルコンピュータ４１０に接続されたバーコードを読み取ることのできる読み取り手段としてのスキャナー４１６と、を備えて構成されている。
【０１５３】
携帯端末４２０は、例えば一般的なＰＤＡ（Personal Digital（Data） Assistants：携帯情報端末）またはノートＰＣ（Personal Computer）などに代表される端末であり、ＬＣＤ（Liquid Crystal Display：液晶表示装置）４２１などのディスプレイを備えた移動携帯端末である。
【０１５４】
携帯端末４２０は、アクセスポイント５１０を介してパーソナルコンピュータ４１０と無線ＬＡＮによって通信可能であり、携帯端末４２０自身のＭＡＣアドレスをバーコードシンボルに変換してＬＣＤ４２１に表示する機能を有する。
【０１５５】
ＬＣＤ４２１に表示されるバーコードシンボルは図２に示したバーコードシンボル３１０と同様の構成となっている。
【０１５６】
ＬＣＤ４２１に表示されたバーコードシンボルは、読み取り手段としてのスキャナー４１６で読み取られる。
【０１５７】
スキャナー４１６は、読み取ったバーコードシンボルを解読して、アクセスポイント５１０への登録開始命令、識別子である元のＭＡＣアドレス、登録終了命令をそれぞれ得ると、登録開始命令、ＭＡＣアドレスおよび登録終了命令をパーソナルコンピュータ４１０に出力する。
【０１５８】
ＭＡＣアドレスは、パーソナルコンピュータ４１０の図示しない認証登録テーブルに認証登録情報として格納される。
【０１５９】
パーソナルコンピュータ４１０は、ＭＡＣアドレスを得ると、パーソナルコンピュータ４１０に接続されたアクセスポイント５１０にＭＡＣアドレスを出力して、有線による遠隔操作によってアクセスポイント５１０の図示しない登録記憶装置に認証登録情報として格納する。
【０１６０】
アクセスポイント５１０にＭＡＣアドレスが認証登録されたことによって、アクセスポイント５１０のＭＡＣアドレスによるフィルタリング設定がなされたことになる。
【０１６１】
以上のように、本実施例の無線ＬＡＮシステムは、図１に示した実施形態の無線ＬＡＮシステムと同様の認証登録処理をＬＣＤ４２１に表示されたバーコードシンボルを用いてアクセスポイント５１０に行うことができる。
【０１６２】
また、携帯端末４２０は、図３のスキャナー１２６と同様のバーコードシンボルを読み取り解読する機能を有していてもよく、例えば携帯電話に搭載されたカメラなどの撮影手段によりバーコードを読み取り、読み取ったバーコードシンボルを解読するとよい。
【０１６３】
この場合、パーソナルコンピュータ４１０に格納された認証登録情報であるＩＰアドレス、ＳＳＩＤ、ＷＥＰのバーコードシンボルを、パーソナルコンピュータ４１０の図示しない表示部に表示させる。
【０１６４】
パーソナルコンピュータ４１０の表示部に表示されたバーコードシンボルは、携帯端末４２０の撮影手段で読み取られ解読されて、携帯端末４２０に書き込まれることで、携帯端末４２０へＩＰアドレス、ＳＳＩＤ、ＷＥＰの付与登録処理がなされる。
【０１６５】
本無線ＬＡＮシステムの付与登録処理によって、実施例１、２と同様の効果も得られる。
【０１６６】
なお、説明した実施形態および実施例においては、バーコードシンボルによる出力および読み取りについて説明したが、バーコードシンボルに限定されるものではなく、例えば２次元コードを用いたコードシンボルの出力や読み取りであっても同様の効果を得られる。
【０１６７】
またここで示した出力手段は、ＰＯＳターミナルに限定されるものではなく、同様の機能を有したサーバにより同様の認証登録処理を行い、サーバに接続されたプリンタによりＩＰアドレス、ＳＳＩＤ、ＷＥＰなどを含んだバーコードシンボルを印刷させる構成であっても同様の効果を得られる。
【図面の簡単な説明】
【０１６８】
【図１】本実施形態の無線ＬＡＮシステムの認証登録処理を実施するための構成例を示すブロック図である。
【図２】アクセスポイントに認証登録処理を行うための印刷されたバーコードシンボルの例を示す図である。
【図３】第１の実施例の無線ＬＡＮシステムの認証登録処理および付与登録処理を実施するための構成例を示すブロック図である。
【図４】無線接続プリンターに第２の識別子の付与登録処理を行うために印刷されたバーコードシンボルの例を示す図である。
【図５】第２の実施例の無線ＬＡＮシステムの認証登録処理および付与登録処理を実施するための構成例を示すブロック図である。
【図６】第３の実施例の無線ＬＡＮシステムの認証登録処理を実施するための構成例を示すブロック図である。
【図７】従来の無線ＬＡＮシステムの構成例を示すブロック図である。
【符号の説明】
【０１６９】
１１０    ＰＯＳターミナル
１１１    認証登録テーブル
１１２    ＰＯＳターミナル
１１３    認証登録テーブル
１１４    ＰＯＳターミナル
１１５    認証登録テーブル
１１６    スキャナー（読み取り手段）
１１７    スキャナー（第１の読み取り手段）
１２０    無線接続プリンター
１２１    無線ＬＡＮカード（無線ＬＡＮインターフェース）
１２２    無線接続プリンター
１２３    無線ＬＡＮカード（無線ＬＡＮインターフェース）
１２６    スキャナー（第２の読み取り手段）
１９０    有線接続プリンター
１９６    スキャナー（第１の読み取り手段）
２１０    アクセスポイント（無線ＬＡＮのアクセスポイント）
２１１    登録記憶装置
２１６    アクセスポイント（無線ＬＡＮのアクセスポイント）
２１７    登録記憶装置
３１０    バーコードシンボル
３１１〜３１３    バーコードシンボル
３１５    第１のバーコードシンボル
３２０    第２のバーコードシンボル
３２１〜３２５    バーコードシンボル
４１０    パーソナルコンピュータ（ＰＣ）
４１６    スキャナー（読み取り手段）
４２０    携帯端末（ＰＤＡ）
４２１    ＬＣＤ
５１０    アクセスポイント
７１０    ＰＯＳターミナル
７１１    認証登録テーブル
７２０    無線接続プリンター（無線ＬＡＮ端末）
７２６    スキャナー
７９０    有線接続プリンター
７９６    スキャナー
８１０    アクセスポイント
８１１    登録記憶装置
【図１】
2007215120.tif 000003
【図２】
2007215120.tif 000004
【図３】
2007215120.tif 000005
【図４】
2007215120.tif 000006
【図５】
2007215120.tif 000007
【図６】
2007215120.tif 000008
【図７】
2007215120.tif 000009